(57)【要約】      （修正有）【課題】重機へ容易に取り付けることが可能な安全確認用照明装置を提供する。【解決手段】安全確認用照明装置は、光源部を備えた本体部１１と、本体部に設けられかつ磁石１４ａを含む取り付け部１４とを有する照明１０と、照明に電力を供給する電源とを具備する。照明１０は、本体部１１、支持部１２、固定台１３、取り付け部１４を備えている。支持部１２は、本体部１１の背面から底面に空間を設けて延在している。支持部１２の側面には、角度調整つまみ１５が設けられている。角度調整つまみ１５を回すことにより、本体部１１の上下方向の角度を調整することができ、所望の場所を確実に照らすことが可能である。【選択図】図２
0003220798.tif 000002
【実用新案登録請求の範囲】
【請求項１】
光源部を備えた本体部と、前記本体部に設けられかつ磁石を含む取り付け部とを有する照明と、
前記照明に電力を供給する電源と
を具備する安全確認用照明装置。
【請求項２】
前記取り付け部は、複数の磁石を有していることを特徴とする請求項１に記載の安全確認用照明装置。
【請求項３】
前記照明は、前記本体部の角度を調整することが可能な角度調整つまみを有することを特徴とする請求項１又は２に記載の安全確認用照明装置。
【考案の詳細な説明】
【技術分野】
【０００１】
本考案は、重機へ容易に取り付けることが可能な安全確認用照明装置に関する。
【背景技術】
【０００２】
工事現場等で夜間作業を行う場合、周囲への安全を確保するために、重機の所定の箇所に安全確認用の作業灯が取り付けられることがある（例えば、特許文献１参照）。このような作業灯は、工事中の振動等によって落下することを防ぐため、重機の取り付けたい箇所に穴を開け、ネジ等で強固に取り付けて使用される。
【先行技術文献】
【特許文献】
【０００３】
【特許文献１】特開２００２−００３１５１号
【考案の開示】
【考案が解決しようとする課題】
【０００４】
しかしながら、重機へ作業灯を取り付けることは、非常に大掛かりな作業であり、さらに、一度取り付けた作業灯の位置の変更を容易に行うことが困難であった。
そこで、本考案は、重機へ容易に取り付けることが可能な安全確認用照明装置を提供する。
【課題を解決するための手段】
【０００５】
本考案の一実施形態に係る安全確認用照明装置は、光源部を備えた本体部と、前記本体部に設けられかつ磁石を含む取り付け部とを有する照明と、前記照明に電力を供給する電源とを具備する。
【０００６】
前記安全確認用照明装置において、前記取り付け部は、複数の磁石を有してもよい。
【０００７】
前記安全確認用照明装置において、前記照明は、前記本体部の角度を調整することが可能な角度調整つまみを有してもよい。
【考案の効果】
【０００８】
本考案は、重機へ容易に取り付けることが可能な安全確認用照明装置を提供することができる。
【図面の簡単な説明】
【０００９】
【図１】本考案の一実施形態に係る安全確認用照明装置を示す概略図。
【図２】本考案の一実施形態に係る安全確認用照明装置の照明を示す前面図、側面図及び底面図。
【図３】本考案の一実施形態に係る安全確認用照明装置を重機に取り付けた状態を示す図。
【考案を実施するための形態】
【００１０】
以下、実施形態について、図面を参照して説明する。尚、以下の説明において、同一の機能及び構成を有する要素については、共通する参照符号を付す。
【００１１】
［１］安全確認用照明装置
図１は、本考案の一実施形態に係る安全確認用照明装置の概略図を示す。以下、図１を用いて、安全確認用照明装置の概要について説明する。
図１に示すように、本実施形態に係る安全確認用照明装置１は、照明１０、電源１０及びケーブル３０を備えている。
照明１０は、ケーブル３０を用いて電源２０に接続されている。照明１０には、電源２０によって電力が供給される。電源２０は、例えば、リチウムイオン電池を用いたバッテリータイプである。電源２０は、例えば、重機の運転席等に置くことが可能である。ケーブル３０は、照明１０及び電源２０に取り外し可能で繋げられる。尚、照明１０についての詳細は後述する。
【００１２】
本実施形態に係る安全確認用照明装置１の特徴は、以下の通りである。
防塵防水：ＩＰ６９
防振・耐衝撃：８Ｇ−１０Ｇの試験済み
耐腐食性：ＪＩＳ  Ｚ２３７１適合、マリングレード・パウダーコーティング品
耐塩水試験：〜１０００Ｈの塩水スプレー撒布適合（ＪＩＳ  Ｚ２３７１）
ＥＭＣ（電磁両立性）：ＥＭＣ  ＥＮ５５０２５クラス５
消費電力：１４Ｗ
【００１３】
尚、本実施形態に係る安全確認用照明装置１は、シガレットソケットタイプのケーブル、２分配タイプケーブル等の付属品を備えてもよい。
【００１４】
図２（ａ）乃至（ｃ）は、本考案の一実施形態に係る安全確認用照明装置の照明の前面図、側面図及び底面図を示す。以下、図２（ａ）乃至（ｃ）を用いて、安全確認用照明装置の照明について説明する。
図２（ａ）及び（ｂ）に示すように、照明１０は、本体部１１、支持部１２、固定台１３、取り付け部１４を備えている。
【００１５】
本体部１１は、例えば、光源部（図示せず）を収める箱型のケース体である。光源部は、例えば、レンズ、複数のＬＥＤが搭載されたＬＥＤ実装基板を含んでいる。尚、本実施形態の光源部は、ライン形状（バー状）の照明を作り出すことができる（図３参照）。
本体部１１は、カバーケース部１１ａと収納ケース部１１ｂとで構成されている。カバーケース部１１ａは、例えば半透明なプラスティック等で形成されている。収納ケース部１１ｂは、光源部を収納するため、光源部からの放熱に強い材質で形成されている。
本体部１１の背面には、電源２０に接続するケーブル３０を挿し込むための差込口１８が設けられている。
【００１６】
支持部１２は、本体部１１の背面から底面に空間を設けて延在している。支持部１２の側面には、角度調整つまみ１５が設けられている。角度調整つまみ１５を回すことにより、本体部１１の上下方向の角度（例えば、１８０度程度）を調整することができ、所望の場所を確実に照らすことが可能である。
固定台１３は、例えば長方形状の金属材で形成されている。固定台１３は、ねじ１６を用いて支持部１２と固定されている。
【００１７】
図２（ｃ）に示すように、取り付け部１４は、本体部１１に設けられ、ねじ１７を用いて固定台１３と固定されている。このねじ１７により、本体部１１の左右方向の角度を調整することが可能である。取り付け部１４の形状は、例えば円形であるが、種々変更可能である。
取り付け部１４は、複数の磁石１４ａと、これらの磁石１４ａを覆うゴム１４ｂとで構成されている。複数の磁石１４ａは、例えば、同心円を描くように配置されている。この取り付け部１４により、照明１０を重機等の金属面に容易に取り付けることが可能となる。また、複数の磁石１４ａを用いて磁力を高めることで、重機の振動によって照明１０が外れることを防止する効果を高めることができる。
【００１８】
以上のように、本実施形態に係る安全確認用照明装置１によれば、照明１０の取り付け部１４がマグネット式となっている。このため、図３に示すように、照明１０を、重機１００の金属面に容易に取り付けることができ、バー状の光２００で所望の場所を照らすことができる。さらに、照明１０の取り付けにねじ止め等の工事が不要であるため、照明１０を取り付ける場所の自由度も向上する。
また、本実施形態に係る安全確認用照明装置１は、電源３０を備えている。このため、重機のエンジンキーとは別に、照明１０の電源３０を操作できる。これにより、本実施形態の安全確認用照明装置１は、操作の利便性及び安全性を向上することができる。
【００１９】
尚、本実施形態の確認用照明装置１は、重機での使用に限定されず、例えば、建機、船舶、トンネル等、様々なものに取り付けることができる。
また、本考案の実施形態を説明したが、この実施形態は、例として提示したものであり、考案の範囲を限定することは意図していない。これら新規な実施形態は、その他の様々な形態で実施されることが可能であり、考案の要旨を逸脱しない範囲で、種々の省略、置き換え、変更を行うことができる。
【符号の説明】
【００２０】
１…照明装置
１０…照明
１１…本体部
１１ａ…カバーケース
１１ｂ…収納ケース
１２…支持部
１３…固定台
１４…取り付け部
１４ａ…磁石
１４ｂ…ゴム
１５…角度調整つまみ
１６、１７…ねじ
１８…差込口
２０…電源
３０…ケーブル
１００…重機
【図１】
0003220798.tif 000003
【図２】
0003220798.tif 000004
【図３】
0003220798.tif 000005